(57)【要約】【課題】  切込み入り粘着テープを簡単に作ることができる、テープカッターを提供する。【解決手段】  テープカッター３は、テープ巻体２から繰り出される粘着テープ１を切断する刃体４を備える。ここで、粘着テープ１の繰り出し方向における、刃体４の先端は、粘着テープ１の幅方向の一方端１ａのある側に位置する第１先端部４ａが、相対的に他方端１ｂのある側に位置する第２先端部４ｂに対して控えるように段状に形成されることで、刃体４は、第１先端部４ａから第２先端部４ｂに移る段差部４ｃを有する。そして、第１先端部４ａは、粘着テープ１を前記一方端から切断可能となっている。そこで、粘着テープ１を、第１先端部４ａを用いて、粘着テープ１の一方端１ａから切断したとき、その切断による切込み１ｃが、段差部４ｃに当接して止まる。【選択図】  図４
2014108888.tif 000002
【特許請求の範囲】
【請求項１】
粘着テープが巻かれてなるテープ巻体から繰り出される前記粘着テープを切断する刃体を備える、テープカッターであって、
前記粘着テープの繰り出し方向における、前記刃体の先端は、前記粘着テープの幅方向の一方端のある側に位置する第１先端部が、相対的に他方端のある側に位置する第２先端部に対して控えるように段状に形成されて、前記刃体が、前記第１先端部から前記第２先端部に移る段差部を有し、
前記第１先端部は、前記粘着テープを前記一方端から切断可能であって、
前記粘着テープを、前記第１先端部を用いて、前記一方端から切断したとき、その切断による切込みが、前記段差部に当接して止まることにより、前記粘着テープには、前記一方端から幅の中間位置まで前記切込みが形成されることを特徴とする、テープカッター。
【請求項２】
前記第２先端部は、前記粘着テープを前記他方端から切断可能であって、
前記粘着テープを、前記第２先端部を用いて、前記他方端から切断したとき、その切断による切込みが、前記一方端に達することにより、前記粘着テープの繰り出し側が、前記テープ巻体から切り離されることを特徴とする、請求項１に記載のテープカッター。
【請求項３】
テープカッター自身を、前記テープ巻体に、その周方向に移動可能に取り付けるべく、前記テープ巻体に係合する係合部を備えることを特徴とする、請求項１または２に記載のテープカッター。
【請求項４】
粘着テープの幅方向の一方端から、他方端に向かって幅の中間位置まで延びる切込みが、前記粘着テープの長手方向に適宜間隔をおいて複数設けられて、前記他方端の側の前記長手方向に延びる連結片と、前記一方端の側の、前記切込みにより分断されて前記連結片に繋がる複数の舌片とを有する切込み入り粘着テープを、テープカッターを用いて形成する、形成方法であって、
前記テープカッターは、前記粘着テープが巻かれてなるテープ巻体から繰り出される前記粘着テープを切断する刃体を備え、前記粘着テープの繰り出し方向における、前記刃体の先端は、前記粘着テープの幅方向の一方端のある側に位置する第１先端部が、相対的に他方端のある側に位置する第２先端部に対して控えるように段状に形成されて、前記刃体が、前記第１先端部から前記第２先端部に移る段差部を有し、かつ、前記第１先端部は、前記粘着テープを前記一方端から切断可能となるものであって、
前記テープ巻体にその周方向に移動可能に取り付けられた前記テープカッターに対し、前記粘着テープを、前記第１先端部を用いて、前記一方端から切断し、その切断による切込みが、前記段差部に当接して止まることにより、前記粘着テープに、前記一方端から幅の中間位置まで前記切込みを形成し、次いで、前記テープカッターを前記テープ巻体の周方向に相対的に移動し、その移動した位置で、再び前記粘着テープに前記切込みを形成し、これら移動と切込みの形成を適宜回数行なうことで、前記切込み入り粘着テープを形成することを特徴とする、切込み入り粘着テープの形成方法。
【請求項５】
前記切込みの形成は、前記連結片が、前記テープ巻体に貼り付いた状態で行なわれることを特徴とする、請求項４に記載の切込み入り粘着テープの形成方法。
【請求項６】
スラブまたは壁に設けられた貫通孔における、その貫通孔に挿通された配線・配管材の周りに形成される隙間に対し、充填材の充填を可能にすべく、その充填材を注入する側とは反対の、前記スラブまたは壁の一方の面側を閉塞する隙間閉塞方法であって、
粘着テープが巻かれてなるテープ巻体から繰り出される前記粘着テープの幅方向の一方端から、他方端に向かって幅の中間位置まで延びる切込みを、前記粘着テープの長手方向に適宜間隔をおいて複数設けることで、前記他方端の側の前記長手方向に延びる連結片と、前記一方端の側の、前記切込みにより分断されて前記連結片に繋がる複数の舌片とを有する切込み入り粘着テープを用い、
前記切込み入り粘着テープを、その連結片側と舌片側とを互いに屈曲して、前記配線・配管材と、前記一方の面の貫通孔部分とに貼り付けて、前記隙間を前記一方の面側において閉塞することを特徴とする、配線・配管材周りの隙間閉塞方法。
【請求項７】
前記切込み入り粘着テープの貼り付けは、前記舌片側が、前記配線・配管材に貼り付けられ、前記連結片側が、前記一方の面の貫通孔部分に貼り付けられることを特徴とする、請求項６に記載の配線・配管材周りの隙間閉塞方法。
【請求項８】
前記舌片が貼り付けられた前記配線・配管材に対し、その舌片の上から適宜長さの粘着テープを巻き付けるように貼り付けることを特徴とする、請求項７に記載の配線・配管材周りの隙間閉塞方法。
【請求項９】
前記切込み入り粘着テープを貼り付ける前または後に、前記一方の面の貫通孔部分に、適宜長さの粘着テープを貼り付けることを特徴とする、請求項６ないし８のいずれか１項に記載の配線・配管材周りの隙間閉塞方法。
【請求項１０】
スラブまたは壁に設けられた貫通孔における、その貫通孔に挿通された配線・配管材の周りに形成される隙間に対し、充填材の充填を可能にすべく、その充填材を注入する側とは反対の、前記スラブまたは壁の一方の面側を閉塞する隙間閉塞構造であって、
粘着テープの幅方向の一方端から、他方端に向かって幅の中間位置まで延びる切込みが、前記粘着テープの長手方向に適宜間隔をおいて複数設けられて、前記他方端の側の前記長手方向に延びる連結片と、前記一方端の側の、前記切込みにより分断されて前記連結片に繋がる複数の舌片とを有する切込み入り粘着テープが、その連結片側と舌片側とが互いに屈曲されて、前記舌片側が、前記配線・配管材に貼り付けられ、前記連結片側が、前記一方の面の貫通孔部分に貼り付けられて、前記隙間が前記一方の面側において閉塞されてなることを特徴とする、配線・配管材周りの隙間閉塞構造。
【請求項１１】
前記舌片が貼り付けられた前記配線・配管材に対し、その舌片の上から適宜長さの粘着テープが巻き付けられるように貼り付けられていることを特徴とする、請求項１０に記載の配線・配管材周りの隙間閉塞構造。
【請求項１２】
前記切込み入り粘着テープが貼り付けられる前または後に、前記一方の面の貫通孔部分に、適宜長さの粘着テープが貼り付けられていることを特徴とする、請求項１０または１１に記載の配線・配管材周りの隙間閉塞構造。
【発明の詳細な説明】
【技術分野】
【０００１】
この発明は、粘着テープに複数の切込みを形成するためのテープカッター、およびそのテープカッターを用いた切込み入り粘着テープの形成方法、並びに、切込み入り粘着テープを用いた、配線・配管材周りの隙間閉塞方法、および配線・配管材周りの隙間閉塞構造に関するものである。
【背景技術】
【０００２】
従来、スラブに設けられた貫通孔における、その貫通孔に挿通された配管材の周りの隙間に対し、モルタルを充填するにあたって、隙間を、スラブの底面側で閉塞するために、粘着テープとしての閉塞シートが用いられた（例えば、特許文献１参照）。この閉塞シートは、放射状に延びる切込み間に形成される舌片と、それら舌片を取巻く閉塞部とを備えていた。そこで、舌片が、閉塞部に対し、起立するように折り曲げられて、その折り曲げられた舌片が、配管材に貼り付けられ、閉塞部が、スラブの底面の貫通孔部分に貼り付けられ、こうして、隙間が、スラブの底面側で閉塞された。
【先行技術文献】
【特許文献】
【０００３】
【特許文献１】特開２００７−２４１３７号公報
【発明の概要】
【発明が解決しようとする課題】
【０００４】
しかし、前記従来の粘着テープとしての閉塞シートは、放射状に延びる切込みを形成する必要があり、施工現場で、その閉塞シートを製作することは面倒であった。
【０００５】
この発明は、上記した従来の欠点を解決するためになされたものであり、その目的とするところは、切込み入り粘着テープを簡単に作ることができる、テープカッター、およびその切込み入り粘着テープの形成方法、並びに、切込み入り粘着テープを用いて配線・配管材周りの隙間を容易に閉塞することができる、配線・配管材周りの隙間閉塞方法、および配線・配管材周りの隙間閉塞構造を提供することにある。
【課題を解決するための手段】
【０００６】
この発明に係るテープカッター、切込み入り粘着テープの形成方法、配線・配管材周りの隙間閉塞方法、および配線・配管材周りの隙間閉塞構造は、前記目的を達成するために、次の構成からなる。すなわち、
請求項１に記載の発明に係るテープカッターは、粘着テープが巻かれてなるテープ巻体から繰り出される前記粘着テープを切断する刃体を備える。ここで、前記粘着テープの繰り出し方向における、前記刃体の先端は、前記粘着テープの幅方向の一方端のある側に位置する第１先端部が、相対的に他方端のある側に位置する第２先端部に対して控えるように段状に形成されて、前記刃体が、前記第１先端部から前記第２先端部に移る段差部を有する。そして、前記第１先端部は、前記粘着テープを前記一方端から切断可能となっている。そこで、前記粘着テープを、前記第１先端部を用いて、前記一方端から切断したとき、その切断による切込みが、前記段差部に当接して止まることにより、前記粘着テープには、前記一方端から幅の中間位置まで前記切込みが形成される。
【０００７】
このテープカッターによると、刃体は、第１先端部が、第２先端部に対して控えるように段状に形成されることで、その第１先端部から第２先端部に移る段差部を有している。そして、粘着テープを、第１先端部を用いて切断したとき、その切込みが、段差部に当接して止まる。したがって、粘着テープには、一定の長さの切込みが形成される。そして、テープカッターの刃体を、粘着テープに対してその長手方向に相対的に移動して前記切込みを形成することで、その切込みを間隔をあけて複数形成することができ、これによって、切込み入り粘着テープを簡単に作ることができる。
【０００８】
また、請求項２に記載の発明に係るテープカッターは、請求項１に記載のテープカッターにおいて、前記第２先端部は、前記粘着テープを前記他方端から切断可能となっている。そこで、前記粘着テープを、前記第２先端部を用いて、前記他方端から切断したとき、その切断による切込みが、前記一方端に達することにより、前記粘着テープの繰り出し側が、前記テープ巻体から切り離される。
【０００９】
また、請求項３に記載の発明に係るテープカッターは、請求項１または２に記載のテープカッターにおいて、テープカッター自身を、前記テープ巻体に、その周方向に移動可能に取り付けるべく、前記テープ巻体に係合する係合部を備える。
【００１０】
また、請求項４に記載の発明に係る切込み入り粘着テープの形成方法は、粘着テープの幅方向の一方端から、他方端に向かって幅の中間位置まで延びる切込みが、前記粘着テープの長手方向に適宜間隔をおいて複数設けられて、前記他方端の側の前記長手方向に延びる連結片と、前記一方端の側の、前記切込みにより分断されて前記連結片に繋がる複数の舌片とを有する切込み入り粘着テープを、テープカッターを用いて形成する、形成方法である。この形成方法に用いられる前記テープカッターは、前記粘着テープが巻かれてなるテープ巻体から繰り出される前記粘着テープを切断する刃体を備え、前記粘着テープの繰り出し方向における、前記刃体の先端は、前記粘着テープの幅方向の一方端のある側に位置する第１先端部が、相対的に他方端のある側に位置する第２先端部に対して控えるように段状に形成されて、前記刃体が、前記第１先端部から前記第２先端部に移る段差部を有し、かつ、前記第１先端部は、前記粘着テープを前記一方端から切断可能となるものである。そこで、切込み入り粘着テープの形成方法は、前記テープ巻体にその周方向に移動可能に取り付けられた前記テープカッターに対し、前記粘着テープを、前記第１先端部を用いて、前記一方端から切断し、その切断による切込みが、前記段差部に当接して止まることにより、前記粘着テープに、前記一方端から幅の中間位置まで前記切込みを形成する。次いで、前記テープカッターを前記テープ巻体の周方向に相対的に移動し、その移動した位置で、再び前記粘着テープに前記切込みを形成し、これら移動と切込みの形成を適宜回数行なうことで、前記切込み入り粘着テープを形成する。
【００１１】
この切込み入り粘着テープの形成方法によると、用いられるテープカッターの刃体は、第１先端部が、第２先端部に対して控えるように段状に形成されることで、その第１先端部から第２先端部に移る段差部を有している。そして、粘着テープを、第１先端部を用いて切断したとき、その切込みが、段差部に当接して止まる。したがって、粘着テープには、一定の長さの切込みが形成される。そして、テープカッターを、テープ巻体の周方向に相対的に移動して前記切込みを形成することで、その切込みを間隔をあけて複数形成することができ、これによって、切込み入り粘着テープを簡単に作ることができる。
【００１２】
また、請求項５に記載の発明に係る切込み入り粘着テープの形成方法は、請求項４に記載の形成方法において、前記切込みの形成は、前記連結片が、前記テープ巻体に貼り付いた状態で行なわれる。
【００１３】
また、請求項６に記載の発明に係る配線・配管材周りの隙間閉塞方法は、スラブまたは壁に設けられた貫通孔における、その貫通孔に挿通された配線・配管材の周りに形成される隙間に対し、充填材の充填を可能にすべく、その充填材を注入する側とは反対の、前記スラブまたは壁の一方の面側を閉塞する隙間閉塞方法である。この閉塞方法は、粘着テープが巻かれてなるテープ巻体から繰り出される前記粘着テープの幅方向の一方端から、他方端に向かって幅の中間位置まで延びる切込みを、前記粘着テープの長手方向に適宜間隔をおいて複数設けることで、前記他方端の側の前記長手方向に延びる連結片と、前記一方端の側の、前記切込みにより分断されて前記連結片に繋がる複数の舌片とを有する切込み入り粘着テープを用いる。すなわち、前記切込み入り粘着テープを、その連結片側と舌片側とを互いに屈曲して、前記配線・配管材と、前記一方の面の貫通孔部分とに貼り付けて、前記隙間を前記一方の面側において閉塞する。
【００１４】
この配線・配管材周りの隙間閉塞方法によると、用いられる切込み入り粘着テープは、粘着テープの幅方向の一方端から、他方端に向かって幅の中間位置まで延びる切込みが、粘着テープの長手方向に適宜間隔をおいて複数設けられるものであって、容易に作ることができる。そして、この切込み入り粘着テープは、他方端の側の連結片と、切込みによって分断されて連結片に繋がる複数の舌片とを有している。そこで、この容易に作ることができる切込み入り粘着テープを用いて、その連結片側と舌片側とを互いに屈曲して、貫通孔に挿通された配線・配管材と、一方の面の貫通孔部分とに、貼り付けることで、配線・配管材周りの隙間を容易に閉塞することができる。
【００１５】
また、請求項７に記載の発明に係る配線・配管材周りの隙間閉塞方法は、請求項６に記載の隙間閉塞方法において、前記切込み入り粘着テープの貼り付けは、前記舌片側が、前記配線・配管材に貼り付けられ、前記連結片側が、前記一方の面の貫通孔部分に貼り付けられる。
【００１６】
また、請求項８に記載の発明に係る配線・配管材周りの隙間閉塞方法は、請求項７に記載の隙間閉塞方法において、前記舌片が貼り付けられた前記配線・配管材に対し、その舌片の上から適宜長さの粘着テープを巻き付けるように貼り付ける。こうして、舌片の上から貼り付けられた粘着テープにより、この舌片の剥がれを防止することができる。
【００１７】
また、請求項９に記載の発明に係る配線・配管材周りの隙間閉塞方法は、請求項６ないし８のいずれか１項に記載の隙間閉塞方法において、前記切込み入り粘着テープを貼り付ける前または後に、前記一方の面の貫通孔部分に、適宜長さの粘着テープを貼り付ける。このように、切込み入り粘着テープに加えて適宜長さの粘着テープを用いることで、配線・配管材周りの隙間を一層容易に閉塞することができる。
【００１８】
また、請求項１０に記載の発明に係る配線・配管材周りの隙間閉塞構造は、スラブまたは壁に設けられた貫通孔における、その貫通孔に挿通された配線・配管材の周りに形成される隙間に対し、充填材の充填を可能にすべく、その充填材を注入する側とは反対の、前記スラブまたは壁の一方の面側を閉塞する隙間閉塞構造である。この隙間閉塞構造は、粘着テープの幅方向の一方端から、他方端に向かって幅の中間位置まで延びる切込みが、前記粘着テープの長手方向に適宜間隔をおいて複数設けられて、前記他方端の側の前記長手方向に延びる連結片と、前記一方端の側の、前記切込みにより分断されて前記連結片に繋がる複数の舌片とを有する切込み入り粘着テープが、その連結片側と舌片側とが互いに屈曲されて、前記舌片側が、前記配線・配管材に貼り付けられ、前記連結片側が、前記一方の面の貫通孔部分に貼り付けられて、前記隙間が前記一方の面側において閉塞されてなる。
【００１９】
この配線・配管材周りの隙間閉塞構造によると、用いられる切込み入り粘着テープは、粘着テープの幅方向の一方端から、他方端に向かって幅の中間位置まで延びる切込みが、粘着テープの長手方向に適宜間隔をおいて複数設けられるものであって、容易に作ることができる。そして、この切込み入り粘着テープは、他方端の側の連結片と、切込みによって分断されて連結片に繋がる複数の舌片とを有している。そこで、この容易に作ることができる切込み入り粘着テープを用いて、その連結片側と舌片側とを互いに屈曲して、舌片側を、配線・配管材に貼り付け、連結片側を、一方の面の貫通孔部分に貼り付けることで、配線・配管材周りの隙間を容易に閉塞することができる。
【００２０】
また、請求項１１に記載の発明に係る配線・配管材周りの隙間閉塞構造は、請求項１０に記載の隙間閉塞構造において、前記舌片が貼り付けられた前記配線・配管材に対し、その舌片の上から適宜長さの粘着テープが巻き付けられるように貼り付けられている。こうして、舌片の上から貼り付けられた粘着テープにより、この舌片の剥がれを防止することができる。
【００２１】
また、請求項１２に記載の発明に係る配線・配管材周りの隙間閉塞構造は、請求項１０または１１に記載の隙間閉塞構造において、前記切込み入り粘着テープが貼り付けられる前または後に、前記一方の面の貫通孔部分に、適宜長さの粘着テープが貼り付けられている。このように、切込み入り粘着テープに加えて適宜長さの粘着テープを用いることで、配線・配管材周りの隙間を一層容易に閉塞することができる。
【発明の効果】
【００２２】
この発明に係るテープカッター、および切込み入り粘着テープの形成方法によれば、刃体に段差部を有するテープカッターを用いることで、切込み入り粘着テープを簡単に作ることができる。
【００２３】
また、この発明に係る配線・配管材周りの隙間閉塞方法、および配線・配管材周りの隙間閉塞構造によれば、容易に作ることができる切込み入り粘着テープを用いることで、配線・配管材周りの隙間を容易に閉塞することができる。
【図面の簡単な説明】
【００２４】
【図１】この発明の第一の実施の形態の、テープカッターの斜視図である。
【図２】同じく、テープカッターをテープ巻体に取り付けた状態を示し、（Ａ）は、平面図、（Ｂ）は、正面図である。
【図３】同じく、側面図である。
【図４】同じく、テープカッター用いて、粘着テープに一つ目の切込みを形成した状態を示す図であって、（Ａ）は、平面図、（Ｂ）は、正面図である。
【図５】同じく、テープカッター用いて、粘着テープに二つ目の切込みを形成した状態を示す図であって、（Ａ）は、平面図、（Ｂ）は、正面図である。
【図６】同じく、テープカッター用いて、粘着テープに、切り離しのための切込みを形成する過程を示す図であって、（Ａ）は、平面図、（Ｂ）は、正面図である。
【図７】同じく、切込み入り粘着テープを示す平面図である。
【図８】この発明の第２の実施の形態の、スラブの貫通孔を、配線・配管材が貫通する状態を示す斜視図である。
【図９】同じく、二枚の粘着テープを貼り付けた状態を示す斜視図である。
【図１０】同じく、さらに二枚の粘着テープを貼り付けた状態を示す斜視図である。
【図１１】同じく、続いて切込み入り粘着テープを貼り付けた状態を示す斜視図である。
【図１２】同じく、さらに切込み入り粘着テープを貼り付けた状態を示す斜視図である。
【図１３】同じく、続いて配線・配管材に粘着テープを貼り付けた状態を示す斜視図である。
【図１４】第一の実施の形態の変形例であって、テープカッターを示す平面図である。
【図１５】同じく、要部拡大正面図である。
【図１６】第一の実施の形態の他の変形例であって、テープカッターをテープ巻体に取り付けた状態を示す平面図である。
【図１７】第一の実施の形態のさらに他の変形例であって、テープカッターを示す斜視図である。
【図１８】同じく、テープカッターをテープ巻体に取り付けた状態を示す平面図である。
【図１９】同じく、切込み入り粘着テープを示す平面図である。
【図２０】第二の実施の形態の変形例であって、切込み入り粘着テープを貼り付けた状態を示す斜視図である。
【発明を実施するための形態】
【００２５】
以下、この発明に係るテープカッター、切込み入り粘着テープの形成方法、配線・配管材周りの隙間閉塞方法、および配線・配管材周りの隙間閉塞構造を実施するための形態を図面に基づいて説明する。
【００２６】
図１〜図７は、本発明の第一の実施の形態であって、テープカッターおよび切込み入り粘着テープの形成方法に関する実施の形態を示す。ここで、図中符号１は、粘着テープを示す。２は、その粘着テープ１が巻かれてなるテープ巻体を示す。３は、テープカッターを示す。
【００２７】
テープカッター３は、テープ巻体２から繰り出される粘着テープ１を切断する刃体４を備えている。ここで、粘着テープ１の繰り出し方向における、刃体４の先端は、粘着テープ１の幅方向の一方端１ａのある側に位置する第１先端部４ａが、相対的に他方端１ｂのある側に位置する第２先端部４ｂに対して控えるように段状に形成されて、刃体４が、第１先端部４ａから第２先端部４ｂに移る段差部４ｃを有する。
【００２８】
そして、第１先端部４ａは、粘着テープ１を前記一方端１ａから切断可能となっている。そこで、粘着テープ１を、第１先端部４ａを用いて、前記一方端１ａから切断したとき、その切断による切込み１ｃが、前記段差部４ｃに当接して止まることにより、粘着テープ１には、前記一方端１ａから幅の中間位置まで切込み１ｃが形成される（図４、図５参照）。
【００２９】
また、第２先端部４ｂは、粘着テープ１を前記他方端１ｂから切断可能となっている。そこで、粘着テープ１を、第２先端部４ｂを用いて、前記他方端１ｂから切断したとき（図６参照）、その切断による切込み１ｄが、前記一方端１ａに達することにより、粘着テープ１の繰り出し側が、テープ巻体２から切り離される。
【００３０】
また、図示実施の形態においては、テープカッター３は、テープカッター３自身を、テープ巻体２に、その周方向に移動可能に取り付けるべく、テープ巻体２に係合する係合部５を備えている。
【００３１】
具体的には、テープ巻体２は、環状の芯材２ａを有しており、その芯材２ａに、粘着テープ１が巻かれることで形成される。粘着テープ１は、その内側の面が粘着材を有する粘着面となっている。そして、図示実施の形態においては、その粘着面には、剥離紙が貼り付けられている。
【００３２】
テープカッター３においては、刃体４は、薄板状に形成されている。そして、その刃体４は、平板矩形状（詳しくは平板長方形状）に対し、一の辺（詳しくは、一の長辺）が前述のように段状に形成されることで、前記第１先端部４ａと第２先端部４ｂとが形成される。詳細には、これら第１先端部４ａと第２先端部４ｂとは、粘着テープ１の幅方向に延び、第１先端部４ａから第２先端部４ｂに移る段差部４ｃは、それら第１先端部４ａおよび第２先端部４ｂに対し直交するように形成されている。そして、第１先端部４ａに、粘着テープ１の切断を容易にする第１先端刃４ｄが設けられ、また、第２先端部４ｂに、粘着テープ１の切断を容易にする第２先端刃４ｅが設けられる。ここで第１先端刃４ｄは、第１先端部４ａにおける、粘着テープ１の前記一方端１ａ寄りの位置に設けられ、第２先端刃４ｅは、第２先端部４ｂにおける、粘着テープ１の前記他方端１ｂ寄りの位置に設けられる。そして、これら第１先端刃４ｄと第２先端刃４ｅとは、粘着テープ１に食い込んでその粘着テープ１を切断するようにギザギザに形成されている。
【００３３】
図示実施の形態においては、刃体４は、テープ巻体２の外周面２ｂに載るように配置され、このテープカッター３における前記係合部５は、テープ巻体２の各側面２ｃと対向するように、刃体４の各端部（詳しくは、粘着テープ１の幅方向の側にある端部）から折れ曲がって延びている。そして、この延びた係合部５の先端部分５ａは、テープ巻体２の内周面２ｄ（詳しくは芯材２ａの内周面）と対向するように曲げられる。こうして、係合部５がテープ巻体２の胴部をだき抱えることで、テープカッター３は、テープ巻体２に、その周方向に移動可能に取り付けられる。なお、係合部５には、適宜位置に切欠き５ｂ、５ｂが設けられており、係合部５の先端部分５ａは、この切欠き５ｂ部分から容易に曲げられる。
【００３４】
次に、切込み入り粘着テープ１０１の形成方法について説明する。この形成方法は、粘着テープ１の幅方向の一方端１ａから、他方端１ｂに向かって幅の中間位置まで延びる切込み１ｃが、粘着テープ１の長手方向に適宜間隔をおいて複数設けられて、前記他方端１ｂの側の前記長手方向に延びる連結片１ｅと、前記一方端１ａの側の、切込み１ｃにより分断されて前記連結片１ｅに繋がる複数の舌片１ｆ、１ｆとを有する切込み入り粘着テープ１０１（図７参照）を、前述したテープカッター３を用いて形成する、形成方法である。
【００３５】
この切込み入り粘着テープ１０１の形成方法は、テープ巻体２にその周方向に移動可能に取り付けられた前記テープカッター３に対し、粘着テープ１を、刃体４の第１先端部４ａを用いて、粘着テープ１の幅方向の一方端１ａから切断し、その切断による切込み１ｃが、第１先端部４ａから第２先端部４ｂに移る段差部４ｃに当接して止まることにより、粘着テープ１に、前記一方端１ａから幅の中間位置まで切込み１ｃを形成し（図４参照）、次いで、テープカッター３をテープ巻体２の周方向に相対的に移動し、その移動した位置で、再び粘着テープ１に切込み１ｃを形成する（図５参照）。そして、これら移動と切込み１ｃの形成を適宜回数行なうことで、切込み入り粘着テープ１０１を形成する。
【００３６】
ここで、切込み入り粘着テープ１０１を、テープ巻体２から切り離すには、テープカッター３における刃体４の第２先端部４ｂが用いられる。すなわち、テープカッター３をテープ巻体２の周方向に相対的に移動し、その移動した位置で、第２先端部４ｂを用いて、粘着テープ１を他方端１ｂから切断する（図６参照）。すると、その切断による切込み１ｄが、粘着テープ１の一方端１ａに達し、切込み入り粘着テープ１０１は、テープ巻体２から切り離される。もっとも、第２先端部４ｂを用いることなく、粘着テープ１を、はさみとかカッターナイフ等を用いて切断することで、切込み入り粘着テープ１０１をテープ巻体２から切り離してもよい。
【００３７】
次に、以上の構成からなるテープカッター３、および切込み入り粘着テープ１０１の形成方法の作用効果について説明する。テープカッター３の刃体４は、第１先端部４ａが、第２先端部４ｂに対して控えるように段状に形成されることで、その第１先端部４ａから第２先端部４ｂに移る段差部４ｃを有している。そして、粘着テープ１を、第１先端部４ａを用いて切断したとき、その切込み１ｃが、段差部４ｃに当接して止まる（図４参照）。したがって、粘着テープ１には、一定の長さの切込み１ｃが形成される。そして、テープカッター３の刃体４を、粘着テープ１に対してその長手方向に相対的に移動して（図示実施の形態においては、テープカッター３を、テープ巻体２の周方向に相対的に移動して）前記切込み１ｃを形成することで、その切込み１ｃを間隔をあけて複数形成することができ（図５参照）、これによって、切込み入り粘着テープ１０１を簡単に作ることができる。すなわち、刃体４に前記段差部４ｃを有するテープカッター３を用いることで、切込み入り粘着テープ１０１を簡単に作ることができる。
【００３８】
また、刃体４の第２先端部４ｂは、粘着テープ１を前記他方端１ｂから切断可能である。そこで、粘着テープ１を、前記第２先端部４ｂを用いて、前記他方端１ｂから切断したとき、その切断による切込み１ｄが、前記一方端１ａに達することにより、粘着テープ１の繰り出し側が、テープ巻体２から切り離される（図６参照）。すなわち、このテープカッター３においては、第１先端部４ａを用いて、粘着テープ１に切込み１ｃを入れることができ、また、その切込み１ｃの有無を問わず、第２先端部４ｂを用いて、粘着テープ１の繰り出し側を切り離すことができる。
【００３９】
図８〜図１３は、本発明の第二の実施の形態であって、配線・配管材周りの隙間閉塞方法、および配線・配管材周りの隙間閉塞構造に関する実施の形態を示す。ここで、図中符号７は、構築物のスラブを示す。８は、配線・配管材（配線材または配管材）を示す。９は、隙間閉塞構造を示す。また、ここでは、第一の実施の形態で示したテープ巻体２とか切込み入り粘着テープ１０１を用いることから、これらを示す図も参照されたい。
【００４０】
配線・配管材周りの隙間閉塞方法（あるいは、隙間閉塞構造９）は、スラブ７に設けられた貫通孔７ａにおける、その貫通孔７ａに挿通された配線・配管材８の周りに形成される隙間７ｂに対し（図８参照）、例えばモルタル等の充填材の充填を可能にすべく、その充填材を注入する側とは反対の、スラブ７の一方の面７ｃ側（図示実施の形態においては、下面側）を閉塞する隙間閉塞方法（あるいは、隙間閉塞構造９）である。
【００４１】
ここで、隙間閉塞方法は、初めに、つまり後述する切込み入り粘着テープ１０１を貼り付ける前に、スラブ７の一方の面７ｃの貫通孔７ａ部分に、適宜長さの粘着テープ１０２を貼り付ける（図９、図１０参照）。図示実施の形態においては、二枚の適宜長さの粘着テープ１０２、１０２を、配線・配管材８を挟むようにして、前記一方の面７ｃの貫通孔７ａ部分に貼り付ける（図９参照）。そして、それら粘着テープ１０２、１０２と交差（詳しくは、直角に交差）するようにして、同じく、二枚の適宜長さの粘着テープ１０２、１０２を、配線・配管材８を挟むようにして、前記一方の面７ｃの貫通孔７ａ部分に貼り付ける（図１０参照）。もっとも、粘着テープ１０２は、直角に交差するように貼り付けられなくとも、斜めに交差するように貼り付けられることで、より多くの粘着テープ１０２が角度を変えて貼り付けられてもよい。
【００４２】
その後に、粘着テープ１が巻かれてなるテープ巻体２から繰り出される粘着テープ１の幅方向の一方端１ａから、他方端１ｂに向かって幅の中間位置まで延びる切込み１ｃを、粘着テープ１の長手方向に適宜間隔をおいて複数設けることで、前記他方端１ｂの側の前記長手方向に延びる連結片１ｅと、前記一方端１ａの側の、切込み１ｃにより分断されて連結片１ｅに繋がる複数の舌片１ｆ、１ｆとを有する切込み入粘着テープ１０１を用いる。すなわち、切込み入り粘着テープ１０１を、その連結片１ｅ側と舌片１ｆ側とを互いに屈曲して、配線・配管材８と、スラブ７の一方の面７ｃの貫通孔７ａ部分とに貼り付けて、隙間７ｂをスラブ７の一方の面７ｃ側において閉塞する。
【００４３】
詳細には、切込み入り粘着テープ１０１の貼り付けは、舌片１ｆ側が、配線・配管材８に貼り付けられ、連結片１ｅ側が、スラブ７の一方の面７ｃの貫通孔７ａ部分に貼り付けられる（図１１、図１２参照）。ここにおいて、舌片１ｆ側の貼り付けと連結片１ｅ側の貼り付けの順序は、特に問わない。また、図示実施の形態においては、切込み入り粘着テープ１０１は、二枚用いられており、それら切込み入り粘着テープ１０１、１０１が、配線・配管材８を挟むようにして貼り付けられる。ここで、図１１は、一枚目の切込み入り粘着テープ１０１が貼り付けられた状態を示し、図１２は、さらに二枚目の切込み入り粘着テープ１０１が貼り付けられた状態を示す。
【００４４】
そして、舌片１ｆが貼り付けられた配線・配管材８に対し、その舌片１ｆの上から適宜長さの粘着テープ１０４を巻き付けるように貼り付ける（図１３参照）。
【００４５】
一方、隙間閉塞構造９は、前記隙間閉塞方法に対応するものであって、切込み入り粘着テープ１０１が貼り付けられる前に、スラブ７の一方の面７ｃの貫通孔７ａ部分に、適宜長さの粘着テープ１０２が貼り付けられている。そして、粘着テープ１の幅方向の一方端１ａから、他方端１ｂに向かって幅の中間位置まで延びる切込み１ｃが、粘着テープ１の長手方向に適宜間隔をおいて複数設けられて、前記他方端１ｂの側の前記長手方向に延びる連結片１ｅと、前記一方端１ａの側の、切込み１ｃにより分断されて連結片１ｅに繋がる複数の舌片１ｆ、１ｆとを有する切込み入り粘着テープ１０１が、その連結片１ｅ側と舌片１ｆ側とが互いに屈曲されて、舌片１ｆ側が、配線・配管材８に貼り付けられ、連結片１ｅ側が、スラブ７の一方の面７ｃの貫通孔７ａ部分に貼り付けられて、隙間７ｂがスラブ７の一方の面７ｃ側において閉塞されてなる。そして、舌片１ｆが貼り付けられた配線・配管材８に対し、その舌片１ｆの上から適宜長さの粘着テープ１０４が巻き付けられるように貼り付けられている。
【００４６】
次に、以上の構成からなる配線・配管材周りの隙間閉塞方法、および配線・配管材周りの隙間閉塞構造９の作用効果について説明する。用いられる切込み入り粘着テープ１０１は、粘着テープ１の幅方向の一方端１ａから、他方端１ｂに向かって幅の中間位置まで延びる切込み１ｃが、粘着テープ１の長手方向に適宜間隔をおいて複数設けられるものであって、容易に作ることができる。そして、この切込み入り粘着テープ１０１は、他方端１ｂの側の連結片１ｅと、切込み１ｃによって分断されて連結片１ｅに繋がる複数の舌片１ｆ、１ｆとを有している。そこで、この容易に作ることができる切込み入り粘着テープ１０１を用いて、その連結片１ｅ側と舌片１ｆ側とを互いに屈曲して、貫通孔７ａに挿通された配線・配管材８と、スラブ７の一方の面７ｃの貫通孔７ａ部分とに、貼り付けることで（図示実施の形態においては、舌片１ｆ側を、配線・配管材８に貼り付け、連結片１ｅ側を、一方の面７ｃの貫通孔７ａ部分に貼り付けることで）、配線・配管材８周りの隙間７ｂを容易に閉塞することができる。すなわち、容易に作ることができる切込み入り粘着テープ１０１を用いることで、配線・配管材８周りの隙間７ｂを容易に閉塞することができる。
【００４７】
また、舌片１ｆが貼り付けられた配線・配管材８に対し、その舌片１ｆの上から適宜長さの粘着テープ１０４を巻き付けるように貼り付ける。こうして、舌片１ｆの上から貼り付けられた粘着テープ１０４により、この舌片１ｆの剥がれを防止することができる。
【００４８】
また、切込み入り粘着テープ１０１に加えて、スラブ７の一方の面７ｃの貫通孔７ａ部分に貼り付けるための適宜長さの粘着テープ１０２を用いている。これにより、配線・配管材８周りの隙間７ｂを一層容易に閉塞することができる。特に、図示実施の形態においては、切込み入り粘着テープ１０１を貼り付ける前に、スラブ７の一方の面７ｃの貫通孔７ａ部分に、適宜長さの粘着テープ１０２が貼り付けられる。このように、予め、粘着テープ１０２によって貫通孔７ａ、つまりは隙間７ｂを大体において閉塞しておくことで、その後の切込み入り粘着テープ１０１による隙間７ｂの閉塞を簡単に行なうことができる。
【００４９】
また、粘着テープ１は、金属箔テープ（金属箔に繊維体や樹脂フィルムを積層した積層テープを含む）であるのが望ましい。これにより、粘着テープ１の強度を増すことができ、充填材の圧力に容易に耐えることができる。さらには、折り曲げたとき（つまり、連結片１ｅ側と舌片１ｆ側とを互いに屈曲したとき）、その形状を維持することができ、貼り付けの作業性を向上させることができる。もっとも、粘着テープ１は、金属箔テープに限るものではなく、紙や布等の繊維体とか樹脂フィルム等、その他の材料からなるテープであってもよいのは勿論である。
【００５０】
なお、本発明は、上述した実施の形態に限定されるわけではなく、その他種々の変更が可能である。例えば、第一の実施の形態において、テープカッター３は、それ自身が、テープ巻体２の周方向に移動可能となるように、そのテープ巻体２に取り付けられるが、図１４および図１５に示すように、テープ巻体２を回動自在に支持する基台３ａを備えて、その基台３ａに刃体４が固定されてもよい。
【００５１】
また、第一の実施の形態において、刃体４の第１先端部４ａには、第１先端刃４ｄが設けられているが、粘着テープ１を一方端１ａから切断することが可能であれば、この第１先端刃４ｄは、無くともよい。同様に、第２先端部４ｂにおいても、粘着テープ１を他方端１ｂから切断することが可能であれば、第２先端刃４ｅは、無くともよい。
【００５２】
また、第一の実施の形態において、刃体４の第２先端部４ｂは、粘着テープ１を他方端１ｂから切断することが可能となっていなくともよい。すなわち、第２先端部４ｂは、粘着テープ１の幅方向の一方端１ａのある側に位置する第１先端部４ａに対して、相対的に他方端１ｂのある側に位置すればよく、例えば、図１６に示すように、第２先端部４ｂが、粘着テープ１の幅方向の中間位置に設けられてもよい。
【００５３】
また、第１の実施の形態において、第２先端部４ｂと段差部４ｃとは、図１７および図１８に示すように、粘着テープ１の幅方向に移動可能に形成されてもよい。詳細には、刃体４は、第１先端部４ａを有する刃体本体４０１と、第２先端部４ｂおよび段差部４ｃを有して刃体本体４０１に対し粘着テープ１の幅方向に移動可能な移動片４０２とを、備える。図示実施の形態においては、刃体本体４０１が、粘着テープ１の幅方向に延びるように形成されるのに対し、移動片４０２が、粘着テープ１の長手方向に延びるように形成される。そして、移動片４０２は、第２先端部４ｂが第１先端部４ａから突出して位置するように、刃体本体４０１に重ねられ、移動片４０２に設けられた係合部４ｆ、４ｆが、刃体本体４０１の延びる方向と直交する側の各端部（つまり、粘着テープ１の長手方向の側の各端部）に係合することで、刃体本体４０１に対し粘着テープ１の幅方向に移動可能となっている。こうして、第２先端部４ｂと段差部４ｃとが、粘着テープ１の幅方向に移動可能に形成されることで、その移動位置を調整して、第１先端部４ａを用いて切込み１ｃを形成することで、その切込み１ｃの長さを、必要とする長さに調整することができる。特に、図示実施の形態においては、刃体本体４０１には、切込み１ｃの長さを設定するための目盛り４ｘが設けられており、その目盛り４ｘに移動片４０２を合わせることで、容易に、必要とする長さの切込み１ｃを形成することができる。
【００５４】
そして、この刃体４を備えたテープカッター３を用いることで、各切込み１ｃの終端の並びが、例えば円弧に沿うように、切込み１ｃの長さを調整することもできる（図１９参照）。そこで、その各切込み１ｃの終端の並びを、第二の実施の形態における配線・配管材８の外周に合わせるようにすれば、切込み入り粘着テープ１０１の貼り付けにあたって、配線・配管材８への舌片１ｆの貼り付けや、スラブ７の一方の面７ｃの貫通孔７ａ部分への連結片１ｅの貼り付けを、手際よく行なうことができる。
【００５５】
また、この例においては、刃体本体４０１は、粘着テープ１の幅方向の他方端１ｂのある側において、粘着テープ１の繰り出し方向に突出する突出部４ｇを有している。そして、この突出部４ｇの先端が、粘着テープ１を他方端１ｂから切断可能な先端部４ｈとなる。つまり、粘着テープ１を、先端部４ｈを用いて、粘着テープ１の他方端１ｂから切断したとき、その切断による切込みが、粘着テープ１の一方端１ａに達することにより、粘着テープ１の繰り出し側が、テープ巻体２から切り離される。また、図示実施の形態においては、第１先端部４ａと同様に、先端部４ｈには、粘着テープ１の切断を容易にする先端刃４ｉが設けられる。
【００５６】
また、第一の実施の形態において、第１先端部４ａと第２先端部４ｂとの段差を、舌片１ｆの必要する幅に合わせるようにしてもよい。こうすることで、粘着テープ１の先端を第２先端部４ｂに合わせた位置で、第１先端部４ａによる切込み１ｃを入れ、また、一つ前の切込み１ｃを第２先端部４ｂに合わせた位置で、第１先端部４ａによる切込み１ｃを入れることで、舌片１ｆの幅を一定の幅で形成することが可能となる。
【００５７】
また、第一の実施の形態において、粘着テープ１が、剥離紙を有しないような場合には、切込み１ｃの形成は、連結片１ｅが、粘着テープ１の粘着により、テープ巻体２に貼り付いた状態で行なわれても構わない。
【００５８】
また、第二の実施の形態において、舌片１ｆが貼り付けられた配線・配管材８に対し、その舌片１ｆの上から適宜長さの粘着テープ１０４が貼り付けられるが、この粘着テープ１０４の貼り付けはなくともよい。
【００５９】
また、第二の実施の形態において、切込み入り粘着テープ１０１は、舌片１ｆが配線・配管材８に貼り付けられ、連結片１ｅがスラブ７の一方の面７ｃの貫通孔７ａ部分に貼り付けられるが、図２０に示すように、連結片１ｅが配線・配管材８に貼り付けられ、舌片１ｆがスラブ７の一方の面７ｃの貫通孔７ａ部分に貼り付けられてもよい。また、この例においては、スラブ７の一方の面７ｃ側に、舌片１ｆの上から適宜長さの粘着テープが貼り付けられてもよく、この粘着テープにより、この舌片１ｆの剥がれを防止することができる。
【００６０】
また、第二の実施の形態において、切込み入り粘着テープ１０１は、二枚用いられるが、その枚数は特に問わない。
【００６１】
また、第二の実施の形態において、スラブ７の一方の面７ｃの貫通孔７ａ部分に、適宜長さの粘着テープ１０２が貼り付けられるが、この粘着テープ１０２の貼り付けは、切込み入り粘着テープ１０１を貼り付ける前でなくとも、貼り付けた後であってもよい。また、この粘着テープ１０２の貼り付けは無くともよい。
【００６２】
また、第二の実施の形態において、配線・配管材８の断面は、円形に限るものではなく、異形形状をしていてもよい。また、スラブ７の一方の面７ｃは、平坦でなくとも、凹凸を有した面であってもよい。
【００６３】
また、第二の実施の形態における隙間閉塞方法とか隙間閉塞構造９は、スラブ７における貫通孔７ａを対象としているが、壁における貫通孔を対象としてもよい。そして、この場合には、充填材は、流動性が低い材料として例えばコーキング材等が用いられる。
【符号の説明】
【００６４】
１  粘着テープ
１ａ  一方端
１ｂ  他方端
１ｃ  切込み
１ｄ  切込み
１０１  切込み入り粘着テープ
１０２、１０４  適宜長さの粘着テープ
２  テープ巻体
３  テープカッター
４  刃体
４ａ  第１先端部
４ｂ  第２先端部
４ｃ  段差部
４ｄ  第１先端刃
４ｅ  第２先端刃
５  係合部
７  スラブ
７ａ  貫通孔
７ｂ  隙間
７ｃ  一方の面
８  配線・配管材
９  隙間閉塞構造
【図１】
2014108888.tif 000003
【図２】
2014108888.tif 000004
【図３】
2014108888.tif 000005
【図４】
2014108888.tif 000006
【図５】
2014108888.tif 000007
【図６】
2014108888.tif 000008
【図７】
2014108888.tif 000009
【図８】
2014108888.tif 000010
【図９】
2014108888.tif 000011
【図１０】
2014108888.tif 000012
【図１１】
2014108888.tif 000013
【図１２】
2014108888.tif 000014
【図１３】
2014108888.tif 000015
【図１４】
2014108888.tif 000016
【図１５】
2014108888.tif 000017
【図１６】
2014108888.tif 000018
【図１７】
2014108888.tif 000019
【図１８】
2014108888.tif 000020
【図１９】
2014108888.tif 000021
【図２０】
2014108888.tif 000022